(57)【要約】　　　（修正有）【課題】装飾的形状に形成した遊戯体を水中から光りを点滅させながら浮上させて遊ぶことができる安全で楽しい水遊び用のおもちゃを提供する。【解決手段】浮遊性を有し、透明または半透明に形成した合成樹脂材からなる遊戯体１２内に、点滅回路と電源電池の接点部を分離した発光体２０と光拡散フィルム２８を、該接点部を外部に露出させた状態で一緒に収容し、水溶性を有する原料により固形化成型される容器１１内に遊戯体１２を位置させ、容器１１を水中に投入すると、容器１１が水中で溶解し、前記接点部が通電し、遊戯体１２が点滅発光しながら水中より浮上する。【選択図】　　図２
0003099983.tif 000002
【実用新案登録請求の範囲】
【請求項１】
浮遊性を有し、透明または半透明に形成した合成樹脂材からなる遊戯体内に、任意色に発光するＬＥＤランプと該ＬＥＤランプを点滅させる点滅回路及び電源電池からなり、該点滅回路と該電源電池の接点部を分離した発光体と光拡散フィルムを、該接点部を外部に露出させた状態で一緒に収容し、
水溶性を有する原料を粉末状または顆粒状とした後、加圧して固形化成型される容器内に前記遊戯体を位置させ、該容器を水中に投入すると、該容器が水中で溶解し、前記接点部が通電することにより、前記遊戯体が点滅発光しながら水中より浮上することを特徴とするおもちゃ。
【請求項２】
前記発光体の接点部は、水溶性を有する接着剤により絶縁フィルムを接着することで絶縁されていることを特徴とする請求項１に記載のおもちゃ。
【請求項３】
前記発光体の接点部は、前記容器が予め蓋体と本体に分離して形成され、該本体の表面に設けた凹部上に位置することで絶縁されていることを特徴とする請求項１に記載のおもちゃ。
【請求項４】
前記容器の原料は、ポリエチレングリコール、エチレングリコール、有機酸または炭酸塩からなる群のうちいずれか一の成分を含む水溶性の粉末または顆粒であることを特徴とする請求項１乃至請求項３のいずれか１に記載のおもちゃ。
【請求項５】
前記遊戯体は、その外形が花、魚、動物、各種キャラクターなどの装飾的形状で形成された造形部を備えていることを特徴とする請求項１乃至請求項４のいずれか１に記載のおもちゃ。
【考案の詳細な説明】
【０００１】
【考案の属する技術分野】
本考案は、水溶性を有する容器内に光が点滅する各種形状をした遊戯体を収容したおもちゃに関する。
【０００２】
【従来の技術】
従来、おまけ付き玩具には多種多様のものが有るが、キャラクター人形などを収容したカプセル入りのおもちゃが存在する。これらのおもちゃのうちで安価なものは、いわゆる「ガラポン」といわれる店頭の販売機で売られているものが知られている。
【０００３】
一方、前記キャラクター人形をゼラチンや香料と薬効材を混ぜて弾力性を有した球体内に収容し、入浴時に浴槽にその球体を入れると、球体が溶けて内部に収容した玩具が浮上する入浴剤も知られている（例えば、特許文献１参照）。
【０００４】
【特許文献１】特開平１０−３０６０２１号
【０００５】
この入浴剤は、入浴を嫌がる子供にこの入浴剤を持たせて入浴させ、浴槽内からどんなおもちゃが浮遊するのかを楽しませることにより入浴の楽しさを教えるものである。しかし、浮遊するおもちゃは前記ガラボンとほぼ同様のものであって、意外感や驚きという点ではやや欠けていた。
【０００６】
【考案が解決しようとする課題】
本考案は、入浴剤として使用する場合には、どのような形状の遊戯体が浮遊するのかの意外感と、かつ、この遊戯体が光りを点滅させて浮上することによる驚きがあるという点でその楽しさを倍増できるおもちゃを提供することを目的とする。
また、本考案は、入浴時だけでなく、例えば、プールなどにおいても使用することができ、子供の体に安全な成分と容器により水遊びの楽しさを倍増させることができるおもちゃを提供することを目的とする。
【０００７】
【課題を解決するための手段】
上記課題を解決するために請求項１に記載された考案は、浮遊性を有し、透明または半透明に形成した合成樹脂材からなる遊戯体内に、任意色に発光するＬＥＤランプと該ＬＥＤランプを点滅させる点滅回路及び電源電池からなり、該点滅回路と該電源電池の接点部を分離した発光体と光拡散フィルムを、該接点部を外部に露出させた状態で一緒に収容し、
水溶性を有する原料を粉末状または顆粒状とした後、加圧して固形化成型される容器内に前記遊戯体を位置させ、該容器を水中に投入すると、該容器が水中で溶解し、前記接点部が通電することにより、前記遊戯体が点滅発光しながら水中より浮上するおもちゃであることを特徴とする。また、請求項２に記載された考案は、前記発光体の接点部は、水溶性を有する接着剤により絶縁フィルムを接着することで絶縁されている請求項１に記載のおもちゃであることを特徴とする。
【０００８】
したがって、水中で容器が溶解すると、絶縁フィルムが剥がれて発光体の接点部が通電し、装飾的形状の遊戯体が水中より浮上する意外性と、かつ、この遊戯体が光りを点滅しつつ浮上する驚きにより、おもちゃとしての楽しさを倍増することができる。
【０００９】
また、請求項３に記載された考案は、前記発光体の接点部は、前記容器が予め蓋体と本体に分離して形成され、該本体の表面に設けた凹部上に位置することで絶縁されている請求項１に記載のおもちゃであることを特徴とする。さらに、請求項４に記載された考案は、前記容器の原料は、ポリエチレングリコール、エチレングリコール、有機酸または炭酸塩からなる群のうちいずれか一の成分を含む水溶性の粉末または顆粒である請求項１乃至請求項３のいずれか１に記載のおもちゃであることを特徴とする。くわえて、請求項５に記載された考案は、前記遊戯体は、その外形が花、魚、動物、各種キャラクターなど書各種装飾的形状で形成された造形部を備えている請求項１乃至請求項４のいずれか１に記載のおもちゃであることを特徴とする。
【００１０】
したがって、簡単な構造ではあるが、容器が水中で溶解する前に接点部が通電することを防止できる。また、遊戯体から絶縁フィルムが剥がれてゴミを出すようなこともなく、かつ絶縁フィルムを接着する工程を省略して作業能率の向上と費用の軽減を図ることができる。そして、安全に使用できるばかりか、各種装飾的形状によりおもちゃとしての意外性を発揮することができる。
【００１１】
【考案の実施の形態】
以下、本考案の第１の実施の形態を図面により説明すると、図１は遊戯体を容器内に位置させた状態を示す第１おもちゃの斜視図、図２は第１おもちゃの中央横断面図、図３は遊戯体の分解斜視図、図４は発光体の接点部に絶縁フィルムを貼った状態を示す遊戯体の底面図である。第１おもちゃ１０は、水溶性を有する容器１１の内部に、光が点滅する発光体２０を収容した遊戯体１２を位置させて形成する。
【００１２】
容器１１は、遊戯体１２を水溶性の粉末または顆粒により内包し、公知の加圧成形機を用いて加圧固形成形化するもので、その形状に特に限定はないが、好ましくは、全体を卵形あるいは球形に形成するものである。
【００１３】
容器１１の素材となる粉末または顆粒は、公知の固形化成分と該固形化成分の溶解を促進する溶解成分、さらには該固形化材料の溶解と同時に発泡する発泡成分などの混合体からなり、例えば、固形化成分としては、ポリエチレングリコール、ポリプロピレングリコール、ソルビトール、また、溶解成分としては、エチレングリコール、プロピレングリコール、ジエチレングリコール、さらには、発泡成分としては、有機酸や炭酸塩を挙げることができる。
【００１４】
これらの成分は水中で速やかに崩壊して溶解する作用が有り、溶解時に発生する炭酸ガスが煙幕の役割をして、後記するように容器１１が溶解し、遊戯体１２が泡の中から突然浮上するという意外性の面白さを倍増させることができる。
【００１５】
遊戯体１２は、浮遊性を有し、透明または半透明に形成した合成樹脂材から一体的に形成されたもので、その外形が、例えば、図３に示すようなバラの花の形状に装飾された造形部１３を有していることを特徴とし、底部から略中央部までを開口して内部に収容室１５を設け、収容室１５内には後記する発光体２０と光拡散フィルム２８を収容し、底板１６で密封してある。
【００１６】
遊戯体１２を形成する合成樹脂材としては、例えば、透明または半透明なアクリル樹脂材を使用することができるが、そのアクリル樹脂材を赤色や黄色または青色に着色することで、さらに趣味感にあふれる遊戯体１２とすることができる。遊戯体１２の大きさは、好ましくは高さ約３０ｍｍ、幅未約５０ｍｍ程度である。
【００１７】
この遊戯体１２に設けた造形部１３は、遊戯体１２を収容することができれば決してバラの花の形状にこだわるものではなく、例えば、図７に示すような熱帯魚、あるいは動物や人気漫画のキャラクターなど様々の形状を採用することができる。
【００１８】
発光体２０は、基板２１上に白色、赤色、青色、緑色またはオレンジ色など任意色に発光するＬＥＤランプ２２を配置し、基板２１の裏面に電源電池２３と、ＬＥＤランプ２２を点滅させる点滅回路２５と、点滅回路２５と電源電池２３とを接続するプラスとマイナスの端子部２６と、端子部２６の先端に分離して設けた接点部２７とからなる。
【００１９】
プラスとマイナスの端子部２６は、それぞれ一端を収容室１５を密封する底板１６の内側に取付け、それぞれ他端を接点部２７を底板１６の外部にそれぞれ露出させて、接点部２７を構成する。接点部２７は、水または人体を導電体として使用し、水中や、あるいは図８に示すごとく、プラスとマイナスの接点部２７を指で同時に押さえることによっても通電し、ＬＥＤランプの点滅発光が可能となるよう形成してある。
【００２０】
そして、遊戯体１２の収容室１５内には、発光体２０の光を乱反射することで、その点滅を視覚的により目立たせることができる光拡散フイルム２８を、発光体２０と一緒に収容する。また、遊戯体１２の収容室１５は底板１６により密封するが、この場合、収容室１５内に、若干の空気も封入するので遊戯体１２の浮力を助けることもできる。
【００２１】
さらに、遊戯体１２の底面に露出するプラスとマイナスの接点部２７に絶縁フィルム２９を水溶性の接着剤により接着することで、遊戯体１２が容器１１内に位置している限り、接点部２７の通電が防止される。
【００２２】
ただし、容器１１を水中に入れると、絶縁フィルム２９は水によって発光体２０の接点部２７から剥離し、接点部２２は水によって通電し、ＬＥＤランプが点滅回路によって点滅を開始する。
【００２３】
以下本考案の第１実施の形態である第１おもちゃ１０の作用について説明すると、この第１おもちゃ１０を使用する場合は、浴槽などの屋内、あるいはプールや海などの屋外において、通常、保護のため合成樹脂フィルムなどで包装されたおもちゃを、包装体より取り出して水中に浸けると、第１おもちゃ１０自体には浮遊性がないので水中に沈んで行く。
【００２４】
なお、第１おもちゃ１０の容器１１が溶解しても、原材料は前記したポリエチレングリコールなどであるから、水の成分に、例えば、ホルムアルデヒドやタートラジンなどの有害物質が含まれることはなく、安全に使用でき皮膚のかぶれや湿疹ができるおそれはない。
【００２５】
水に浸かった第１おもちゃ１０は、水溶性の成分からなる容器１１の溶解が自然に開始する。その場合には、前記のごとく、容器１１の成分に発泡性を有する成分を混在すると、容器１１は発泡しながら溶解する。したがって、第１おもちゃ１０の水中での溶解状態が視認しにくく、容器１１から離脱する遊戯体１２の形状も外部から判別できない。そして、遊戯体１２は容器１１が半ば崩れて容器１１から離脱すると、その浮力で突然浮上を開始する。
【００２６】
遊戯体１２自身が水に触れると、水溶性の接着剤で貼付されている絶縁フィルム２９は接点部２７から剥がれ、接点部２７が水と接触して互いに通電する。接点部２７が通電すると内蔵してある電源電池２３によってＬＥＤランプ２２が点滅回路２５の作用によってする。したがって、泡の中から遊戯体１２が光を点滅しながら突然浮上する驚きと何が出てくるのかわからないという意外性を楽しむことができる。
【００２７】
容器１１には、固形化するためだけの成分ではなく、入溶剤としての成分である酵素や香料、色素または各種の薬効成分を入れることができるのは勿論である。
【００２８】
次に、本考案の第２の実施の形態である第２おもちゃ５０を図５、６に基づいて説明する。図５は、内部に遊戯体を収容した状態を示す第２おもちゃの分解図、図６は、第２おもちゃの中央横断面図である。第２おもちゃ５０は、水溶性を有する容器５１と、外周面を任意形状に形成した遊戯体５５と、遊戯体５５内に密封した発光体５８とにより構成される。
【００２９】
容器５１は、中央から真二つに切断した形状の蓋体５４と本体５２とかなり、本体５２の表面中央には内面を湾曲させた凹部５３を設けてある。この容器５１の原材料は、前記第１おもちゃ１０の容器１１と同様であるため、ここでの説明は省略する。
【００３０】
第２おもちゃ５０を形成する際、予め凹部５３を設けた本体５２を形成し、遊戯体５５の底面を本体５２の凹部５３に位置させる。底面に露出している接点部５７と本体５２との間に隙間を作ることにより、容器５１を形成する際の圧力で、分離した接点部５７が通電するのを防止できる。本体５２に凹部５３を設けることで、接点部５７に絶縁フィルムを接着する工程を省略することができる。
【００３１】
第２おもちゃ５０において使用する遊戯体５６および発光体５８は、前記第１おもちゃ１０の遊戯体１２および発光体２０と同一であるためここでの説明を省略する。
【００３２】
次いで、蓋体５４を前記第１おもちゃ１０と同様の方法により、本体５２に合わせた形状で、加圧成形して固形化することにより形成する。なお、およその形状で予め蓋体５４を形成しておき、本体５２に遊戯体５５を位置させかつ蓋体５５で塞いだ後、再度全体を固形化してもよい。この第２おもちゃの使用方法は前記第１おもちゃ１０と同じであるためここでの説明を省略する。
【００３３】
以上の如く、本考案をいくつかの実施形態によって説明したが、それらを以って本考案を前記実施形態のみに限定するものではなく、その精神を逸脱しない限り種々の改変を加えて、多種多様の変更ができることはいうまでもない。例えば、遊戯体の装飾的形状は前記したものに限定されるわけではないことはもちろんである。
【００３４】
【考案の効果】
本考案に係るおもちゃによれば、水中で容器が溶けると共に絶縁フィルムが剥がれて発光体の接点部が通電し、装飾的形状の遊戯体が水中より浮上する意外性と、かつ、この遊戯体が光りを点滅させて浮上する驚きにより、おもちゃとしての楽しさを倍増することができる、
また、本考案に係るおもちゃによれば、簡単な構造であるが、容器が水中で溶解する前に接点部が通電することを防止できる。また、遊戯体から絶縁フィルムが剥がれてゴミを出すようなこともなく、かつ絶縁フィルムを接着する工程を省略して作業能率の向上と費用の軽減を図ることができる。
【図面の簡単な説明】
【図１】遊戯体を容器内に位置させた状態を示す第１おもちゃの斜視図である。
【図２】第１おもちゃの中央横断面図である。
【図３】遊戯体の分解斜視図である。
【図４】発光体の接点部に絶縁フィルムを貼った状態を示す遊戯体の底面図である。
【図５】内部に遊戯体を収容した状態を示す第２おもちゃの分解図である。
【図６】第２おもちゃの中央横断面図である。
【図７】魚の形状をした遊戯体の側面図である。
【図８】遊戯体の接点部を指で挟んで通電させた状態を示す説明図である。
【符号の説明】
１１　容器
１２　遊戯体
１３　造形部
１５　収容室
１６　底板
２０　発光体
２１　基板
２２　ＬＥＤランプ
２３　電源電池
２５　点滅回路
２６　端子部
２７　接点部
２８　光拡散フィルム
２９　絶縁フィルム
５０　第２おもちゃ
５１　容器
５２　本体
５３　凹部
５４　蓋体
５５　遊戯体
５７　接点部
５８　発光体
【図１】
0003099983.tif 000003
【図２】
0003099983.tif 000004
【図３】
0003099983.tif 000005
【図４】
0003099983.tif 000006
【図５】
0003099983.tif 000007
【図６】
0003099983.tif 000008
【図７】
0003099983.tif 000009
【図８】
0003099983.tif 000010